(57)【要約】【課題】ステープル処理やパンチ処理などの後処理が行われる場合に、当該後処理を行うべき部分におけるカール除去を正確に行えるようにする。【解決手段】画像形成装置１は、用紙（記録媒体）の一方の面側に用紙を湾曲させる第１状態、及び用紙の他方の面側に用紙を湾曲させる第２状態に状態を切り換えるカール除去部５０と、用紙の両面それぞれの含水量を測定する含水量測定センサー２１と、装置本体から排出された用紙に対する後処理に応じて含水量の測定範囲を決定する測定範囲決定部１０４と、当該決定された測定範囲内で含水量測定センサー２１により測定された用紙の一方の面の含水量及び他方の面の含水量に基づいて、カール除去部５０の状態を第１状態又は第２状態に切り換える切換制御部１０５と、を備える。【選択図】図３
2017227773.tif 000002
【特許請求の範囲】
【請求項１】
記録媒体を搬送するための搬送路と、
前記搬送路によって搬送される前記記録媒体上にトナー像を形成する画像形成部と、
前記記録媒体上に形成されたトナー像を定着させる定着部と、
前記定着部に対して記録媒体搬送方向における下流側に設けられ、前記記録媒体を湾曲させることで当該記録媒体に生じたカールを除去するカール除去部であって、前記記録媒体の一方の面側に前記記録媒体を湾曲させる第１状態又は前記記録媒体の他方の面側に前記記録媒体を湾曲させる第２状態に、状態を切り換えるカール除去部と、
前記定着部による定着前に、前記記録媒体の両面それぞれの含水量を測定する含水量測定部と、
本画像形成装置の装置本体から排出された前記記録媒体に対する後処理に応じて、前記含水量測定部に含水量を測定させる測定範囲を決定する測定範囲決定部と、
前記測定範囲決定部により決定された測定範囲内における、前記含水量測定部により測定された前記記録媒体の一方の面の含水量及び他方の面の含水量に基づいて前記定着部による定着後の含水量を算出し、前記カール除去部の状態を、前記第１状態及び前記第２状態のうち、当該算出した含水量が多い方の面側に前記記録媒体を湾曲させる方の状態に切り換える切換制御部と、を備える画像形成装置。
【請求項２】
前記切換制御部は、前記含水量測定部に対して、前記測定範囲内における前記記録媒体の含水量の測定を行わせる請求項１に記載の画像形成装置。
【請求項３】
前記後処理が前記記録媒体を綴じる処理又は穿孔処理であり、これら処理が前記記録媒体の搬送方向における先端側又は後端側に施される場合、前記測定範囲決定部は、前記先端側又は前記後端側における前記各処理の施される範囲を前記測定範囲に決定する請求項１又は請求項２に記載の画像形成装置。
【請求項４】
前記後処理が前記記録媒体を綴じる処理又は穿孔処理であり、これら処理が前記記録媒体の搬送方向に長さ方向を有する範囲で施される場合、前記測定範囲決定部は、前記記録媒体の前記搬送方向における全範囲を前記測定範囲に決定する請求項１乃至請求項３のいずれかに記載の画像形成装置。
【請求項５】
前記後処理が、複数の前記記録媒体の各排出位置を部毎に異ならせて排出するシフト処理であり、当該シフト処理が行われる場合、前記測定範囲決定部は、前記記録媒体の前記搬送方向における全範囲を前記測定範囲に決定する請求項１乃至請求項４のいずれかに記載の画像形成装置。
【発明の詳細な説明】
【技術分野】
【０００１】
本発明は、画像形成装置に関し、特に、記録媒体に生じるカールを除去する技術に関する。
【背景技術】
【０００２】
一般的な画像形成装置としては、例えば、電荷を持たない感光体を一様に帯電させ（帯電工程）、電荷を帯びた感光体表面に、コピー原稿に基づいたレーザー光を照射して、感光体表面に原稿の潜像を形成し（露光工程）、潜像をトナーで可視像化し（現像工程）、可視像化することによって形成されたトナー像を、転写ベルトに載置された用紙等の記録媒体に転写し（転写工程）、転写したトナー像を熱と圧力を加えて用紙に定着させる（定着工程）、といった５つのプロセスからなる電子写真方式のものがよく知られている。上記定着工程を施された用紙は、加熱されているため、搬送方向にカールが生じることがある。そのため、このような画像形成装置においては、用紙に生じたカールを除去するためのデカール装置が種々提案され、そして実用化されている。
【０００３】
例えば、下記の特許文献１には、表面の印字率と裏面の印字率とを比較することによって、カールする方向を予測し、その予測結果に基づいて、デカール方向を切り替えること、そしてロータリー式のデカール装置について記載されている。また、下記の特許文献２には、用紙の含水量に基づいて、カールする方向を予測することが記載されている。
【先行技術文献】
【特許文献】
【０００４】
【特許文献１】特開２０１２−５１６７１号公報
【特許文献２】特開平４−２５１０６７号公報
【発明の概要】
【発明が解決しようとする課題】
【０００５】
画像形成装置には、ステープル処理やパンチ処理などの後処理機能が装備されているものがあるが、当該後処理を行うべき部分がカールしていると、上記後処理がうまく行えず、綺麗な仕上がりにならない場合がある。ところが、上記の特許文献１〜３には、用紙に生じたカールの除去についての記載はあるが、綴じ代部分のカールに着目した記載はない。そのため、上記各技術によりカールを除去した場合、用紙全体からみればカール量は減少していたとしても、綴じ代部分のカール量は減少せず、かえって増加することも考えられる。
【０００６】
本発明は、上記の事情に鑑みなされたものであり、例えばステープル処理やパンチ処理などの後処理が行われる場合に、当該後処理を行うべき部分におけるカール除去を正確に行えるようにすることを目的とする。
【課題を解決するための手段】
【０００７】
本発明の一局面に係る画像形成装置は、記録媒体を搬送するための搬送路と、前記搬送路によって搬送される前記記録媒体上にトナー像を形成する画像形成部と、前記記録媒体上に形成されたトナー像を定着させる定着部と、前記定着部に対して記録媒体搬送方向における下流側に設けられ、前記記録媒体を湾曲させることで当該記録媒体に生じたカールを除去するカール除去部であって、前記記録媒体の一方の面側に前記記録媒体を湾曲させる第１状態又は前記記録媒体の他方の面側に前記記録媒体を湾曲させる第２状態に、状態を切り換えるカール除去部と、前記定着部による定着前に、前記記録媒体の両面それぞれの含水量を測定する含水量測定部と、本画像形成装置の装置本体から排出された前記記録媒体に対する後処理に応じて、前記含水量測定部に含水量を測定させる測定範囲を決定する測定範囲決定部と、前記測定範囲決定部により決定された測定範囲内における、前記含水量測定部により測定された前記記録媒体の一方の面の含水量及び他方の面の含水量に基づいて前記定着部による定着後の含水量を算出し、前記カール除去部の状態を、前記第１状態及び前記第２状態のうち、当該算出した含水量が多い方の面側に前記記録媒体を湾曲させる方の状態に切り換える切換制御部と、を備える。
【発明の効果】
【０００８】
定着時の加熱によって、記録媒体には含水量の少ない面側にカールが生じる。これは、含水量が少ないほど紙が収縮するからである。そのため、定着時の加熱によって記録媒体にカールが生じる方向は、その両面それぞれの含水量から予測することができる。本発明によれば、カール除去のために記録媒体をそのいずれの面側に湾曲させるかを、上記後処理が行われる記録媒体部分についての含水量に基づいて決定するので、後処理が施される記録媒体部分のカールを的確に除去でき、ステープル処理（綴じる処理）やパンチ処理（穿孔処理）などの後処理を適切に行うことができ、綺麗な仕上がりが得られる。
【図面の簡単な説明】
【０００９】
【図１】本発明の第１実施形態に係る画像形成装置の構造を示した模式的な部分断面正面図である。
【図２】カール除去部の構成を概略的に示した図である。
【図３】カール除去部の断面を模式的に示した図である。
【図４】第１実施形態に係る画像形成装置の主要内部構成を概略的に示した機能ブロック図である。
【図５】表示部に表示される操作画面の一例を示した図である。
【図６】後処理の種類と測定範囲との関係の一例を示した図である。
【図７】第１実施形態に係る画像形成装置における制御ユニットの行う処理動作の一例を示したフローチャートである。
【発明を実施するための形態】
【００１０】
以下、本発明の一実施形態に係る画像形成装置について図面を参照して説明する。図１は、本発明の第１実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、及び原稿読取部５を含んで構成されている。
【００１１】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１２】
画像形成装置１で原稿読取動作が行われる場合について説明する。原稿給送部６により給送されてくる原稿、又は原稿載置ガラス１６１に載置された原稿の画像を、読取機構１６３を備えた原稿読取部５が光学的に読み取り、そして画像データを生成する。原稿読取部５により生成された画像データは、内臓ＨＤＤ（Hard Disk Drive）、又はネットワーク接続されたコンピューター等に保存される。
【００１３】
画像形成装置１で画像形成動作が行われる場合について説明する。原稿読取動作により生成された画像データや、内臓ＨＤＤに記憶されている画像データ、ネットワーク接続されたコンピューターから受信した画像データ等に基づいて、画像形成部１２が、給紙部１４から給紙される記録紙（記録媒体）としての用紙Ｐにトナー像を形成する。
【００１４】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１５】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００１６】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００１７】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００１８】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００１９】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２０】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２１】
定着部１３は、熱圧着によりトナー像を用紙Ｐに定着させるものであり、定着処理が施されたカラー画像形成済みの用紙Ｐは、排出トレイ１５１又は装置本体１１の外に張り出した排出トレイ１５２に排出されることになる。排出トレイ１５２には、図示しないが積載された用紙Ｐをステープルで綴じる機構や、用紙Ｐにパンチ穴を開ける機構が装備されている。
【００２２】
カール除去部５０は、定着部１３の下流側に配置され、定着部１３を通過することによって用紙Ｐに生じたカールを除去するものである。なお、カール除去部５０の詳しい構成については、例えば、上記の特許文献３に記載されている。
【００２３】
給紙部１４は、複数の給紙カセット１４１を備え、及び各給紙カセット１４１に収容された記録紙をピックアップするためのピックアップローラー１４５を含んで構成され、操作者による指示等で指定されたサイズの記録紙をピックアップするように、対応するピックアップローラー１４５を回転駆動させる。ピックアップローラー１４５によりピックアップされた用紙Ｐは、搬送ローラー対１９ａ，１９ｂによって、ニップ部Ｎに搬送される。
【００２４】
搬送路１９０上には、用紙Ｐの一方の面（図中右側の面）の含水量を測定する含水量測定センサー２１が、定着部１３よりも用紙Ｐの搬送方向において上流側であって、用紙Ｐの搬送方向においてレジストローラー１９８の上流側となる搬送路１９０部分に配置され、含水量測定センサー２１で測定された結果は、後述する制御ユニット１０（図４）に出力される。なお、含水量測定センサー２１は、特許請求の範囲における含水量測定部の一例となる。
【００２５】
次に画像形成装置１で両面印刷が行われる場合について説明する。画像形成部１２により一方の面に画像が形成された用紙Ｐを、排出ローラー対１５９に挟まれた状態とした後、用紙Ｐを排出ローラー対１５９によりスイッチバックさせて反転搬送路１９５に送り、搬送ローラー対１９ｂにより用紙Ｐを搬送方向上流域へ再度搬送する。これにより、用紙Ｐのもう一方の面にも画像を形成することができる。
【００２６】
図２は、カール除去部５０の構成を概略的に示した図である。カール除去部５０は、ロータリー式であり、金属等の硬質材料で構成された硬質ローラー５１と、合成樹脂等の柔軟な材料で構成された軟質ローラー５２と、硬質ローラー５１及び軟質ローラー５２を収納するケーシング５５とを備えている。
【００２７】
ケーシング５５はその中心に設けられた軸５５ａの両側が装置本体１１（図１）のフレームＦに回転自在に軸支されている。軸５５ａの一端部には歯車５６が取り付けられ、歯車５６はフレームＦに設けられたケーシング回転用モーター６０の出力軸６０ａに取り付けられた歯車６１と噛み合っている。このため、ケーシング回転用モーター６０が駆動すると、ケーシング５５が硬質ローラー５１及び軟質ローラー５２を内蔵したまま回転する。
【００２８】
硬質ローラー５１の中心に設けられた軸５１ａと軟質ローラー５２の中心に設けられた軸５２ａとは平行関係にあり、軸５１ａ，５２ａはそれぞれケーシング５５に設けられた軸受けに回転自在に軸支されている。
【００２９】
硬質ローラー５１の軸５１ａの一端部には歯車５１ｂが取り付けられ、歯車５１ｂはケーシング５５内に設けられたローラー回転用モーター６５の出力軸６５ａに取り付けられた歯車６６と噛み合っている。このため、ローラー回転用モーター６５が駆動すると、硬質ローラー５１が回転する。
【００３０】
軟質ローラー５２は、硬質ローラー５１に圧接され、外周面が弾性変形して硬質ローラー５１との間にニップを形成する。また、軟質ローラー５２は、軸５２ａを回転軸として、回転自在であり、硬質ローラー５１に圧接されているので、硬質ローラー５１が回転すると、それに従って回転する。
【００３１】
図３は、カール除去部５０の断面を模式的に示した図である。なお、図３は、図２におけるＡ方向から見たカール除去部５０の断面図である。ケーシング５５には、図３に示すように搬送路１９０が形成され、搬送路１９０はカールした用紙Ｐが進入できるような大きさを持ち、例えば用紙Ｐの進入口と脱出口になる開口部は、ロート状に広がっている。なお、矢印Ａ１は用紙Ｐの搬送方向を示している。
【００３２】
上述したように、ケーシング５５は、その中心に設けられた軸５５ａ（図２）を回転軸として、硬質ローラー５１及び軟質ローラー５２を内蔵したまま、回転自在に構成され、２つの状態、状態Ｔ１と状態Ｔ２に選択的に切り換えられる。状態Ｔ１，Ｔ２はそれぞれ、特許請求の範囲における第１状態、第２状態の一例となる。
【００３３】
状態Ｔ１とは、図３（Ａ）に示した状態であり、硬質ローラー５１が搬送路１９０に対して図中左側に位置し、軟質ローラー５２が搬送路１９０に対して図中右側に位置し、左カールとなるように用紙を矯正する。すなわち、用紙Ｐの搬送方向先端部及び後端部が、図中左側に位置する硬質ローラー５１側に向かうように湾曲する。また、この状態では、ローラー回転用モーター６５（図２）からの駆動力で、硬質ローラー５１は図中反時計回りの矢印Ａ２の方向に回転する。
【００３４】
これに対して、状態Ｔ２とは、図３（Ｂ）に示した状態であり、硬質ローラー５１が搬送路１９０に対して図中右側に位置し、軟質ローラー５２が搬送路１９０に対して図中左側に位置し、右カールとなるように用紙Ｐを矯正する。すなわち、用紙Ｐの搬送方向先端部及び後端部が、図中右側に位置する硬質ローラー５１側に向かうように湾曲する。また、この状態では、硬質ローラー５１を図中時計回りの矢印Ａ３の方向に回転させるように、ローラー回転用モーター６５は駆動する。
【００３５】
図４は、画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、含水量測定センサー２１ａ，２１ｂ、ケーシング回転用制御回路１６０、ローラー回転用制御回路１６５、操作部４７、ファクシミリ通信部７１、及びネットワークインターフェイス部９１を含んで構成されている。なお、図１に示した画像形成装置１と同様の構成部分については同符号を付し、ここではその詳しい説明を省略する。
【００３６】
原稿給送部６は、読取対象の原稿を原稿読取部５へ給送する。
【００３７】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。
【００３８】
画像形成部１２は、印刷すべき画像のトナー像を用紙上に形成する。
【００３９】
画像メモリー３２は、原稿読取部５による読み取りで得られた原稿の画像データを一時的に記憶したり、画像形成部１２のプリント対象となるデータを一時的に保存したりするための領域である。
【００４０】
ＨＤＤ９２は、原稿読取部５によって読み取られた原稿画像等を記憶する大容量の記憶装置である。
【００４１】
定着部１３は、用紙上のトナー像を、熱圧着により用紙に定着させる。
【００４２】
含水量測定センサー２１は、給紙部１４（図１）からピックアップされた用紙Ｐの片面（含水量測定センサー２１に対向する面）の含水量を測定し、測定結果を示した情報を制御ユニット１０へ送信する。
【００４３】
ケーシング回転用制御回路１６０は、ケーシング回転用モーター６０の駆動を制御し、ローラー回転用制御回路１６５は、ローラー回転用モーター６５の駆動を制御する。
【００４４】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００４５】
ファクシミリ通信部７１は、図示しない符号化・複合化部、変復調部、及びＮＣＵ（Network Control Unit）等を備え、公衆電話回線網を用いてのファクシミリの通信を行うものである。
【００４６】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（パソコン）等の外部装置２０と種々のデータの送受信を行うものである。
【００４７】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＭＰＵ、ＡＳＩＣ等である。制御ユニット１０は、画像形成装置１の全体的な動作制御を司る制御部１００と、設定受付部１０１と、測定範囲決定部１０４と、切換制御部１０５と、を備えている。
【００４８】
制御ユニット１０は、ＨＤＤ９２にインストールされている制御プログラムに従った動作により、制御部１００、設定受付部１０１、測定範囲決定部１０４、及び切換制御部１０５として機能するものである。但し、制御部１００等は、制御ユニット１０による制御プログラムに従った動作によらず、それぞれハードウェア回路により構成することも可能である。以下、特に触れない限り、各実施形態について同様である。
【００４９】
制御部１００は、原稿給送部６、原稿読取部５、画像形成部１２、画像メモリー３２、ＨＤＤ９２、定着部１３、含水量測定センサー２１ａ，２１ｂ、ケーシング回転用制御回路１６０、ローラー回転用制御回路１６５、操作部４７、ファクシミリ通信部７１、及びネットワークインターフェイス部９１と接続され、これら各部の駆動制御を行う。
【００５０】
設定受付部１０１は、操作者からの各種設定を受け付ける。設定受付部１０１は、後処理受付部１０２と、両面印刷受付部１０３とを備える。例えば、操作者により操作部４７が操作されて「後処理（用紙Ｐに対する仕上げ処理）」が操作者から要求されると、後処理受付部１０２は、図５（Ａ）に示すような、選択ボタンＢ１，Ｂ２が表示される後処理設定画面Ｄ１を表示部４７３に表示し、操作部４７を介して入力される設定を受け付ける。
【００５１】
後処理設定画面Ｄ１における選択ボタンＢ１が、操作者による操作部４７の操作で選択されると、後処理受付部１０２は、図５（Ｂ）に示すような、選択ボタンＢ３〜Ｂ６が表示されたステープル設定画面Ｄ２を表示部４７３に表示し、操作部４７を介して入力される設定を受け付ける。
【００５２】
一方、後処理設定画面Ｄ１における選択ボタンＢ２が選択されると、後処理受付部１０２は、図５（Ｃ）に示すような、選択ボタンＢ７〜Ｂ９が表示されたパンチ穴設定画面Ｄ３を表示部４７３に表示し、操作部４７を介して入力される設定を受け付ける。
【００５３】
両面印刷受付部１０３は、操作部４７が操作されて「両面印刷」が操作者から要求されると、その要求を受け付ける。
【００５４】
測定範囲決定部１０４は、排出トレイ１５２（図１）に排出された用紙Ｐに対する後処理に応じて、測定範囲Ｅを決定する。図６は、後処理の種類及び位置と測定範囲Ｅとの関係の一例を示した図である。測定範囲決定部１０４は、後処理の種類及び位置と測定範囲Ｅとの当該関係を示すデータテーブルを記憶している。以下、後処理の種類及び位置と、これに対応付けられた測定範囲Ｅを説明する。なお、下記において「上」とは用紙搬送方向先端側を示し、「下」とは用紙搬送方向後端側を示す。
【００５５】
１．ステープルされる位置が「左上１つ」、「上２つ」の場合
ステープル処理が用紙Ｐの搬送方向に対して先端側に施される場合、測定範囲Ｅは用紙Ｐの先端から用紙搬送方向に予め定められた長さ（例えば、５０ｍｍ）となる。
【００５６】
２．ステープルされる位置が「左２つ」の場合
ステープル処理が用紙Ｐの搬送方向に施される場合、測定範囲Ｅは用紙Ｐの用紙搬送方向における全面となる。すなわち、ステープル処理が、用紙Ｐにおいて、用紙搬送方向に対する左側の端部位置であって、用紙搬送方向に長く延びる長さ方向を有してなる領域に施される場合は、測定範囲Ｅは用紙Ｐの全面となる。
【００５７】
３．ステープルされる位置が「下２つ」の場合
ステープル処理が用紙Ｐの搬送方向に対して後端側に施される場合、測定範囲Ｅは用紙Ｐの後端から用紙搬送方向に予め定められた長さとなる。
【００５８】
４．パンチ穴が開けられる位置が「左２つ」、「右２つ」の場合
パンチ処理が用紙Ｐの搬送方向に施される場合、測定範囲Ｅは用紙Ｐの全面となる。
【００５９】
５．パンチ穴が開けられる位置が「上２つ」の場合
パンチ処理が用紙Ｐの搬送方向に対して先端側に施される場合、測定範囲Ｅは用紙Ｐの先端から用紙搬送方向に予め定められた長さとなる。
【００６０】
切換制御部１０５は、測定範囲決定部１０４により決定された測定範囲Ｅの用紙Ｐの含水量を測定するように、含水量測定センサー２１に対して指示信号を送信する。
【００６１】
また、切換制御部１０５は、含水量測定センサー２１によって測定される用紙Ｐの各面の含水量に基づいて、定着部１３による定着後の用紙Ｐの各面含水量をそれぞれ算出する（詳細は後述）。そして、切換制御部１０５は、カール除去部５０の状態を、状態Ｔ１又は状態Ｔ２のうち、当該算出した含水量が多い方の面側に用紙Ｐを湾曲させる方の状態に切り換える。すなわち、切換制御部１０５は、当該算出した含水量に基づいて、測定範囲Ｅに生じている用紙Ｐのカールを除去するように、カール除去部５０を状態Ｔ１又は状態Ｔ２のいずれかに切り換える。具体的には、切換制御部１０５は、ケーシング回転用制御回路１６０及びローラー回転用制御回路１６５に対して指示信号を送信し、ケーシング回転用モーター６０及びローラー回転用モーター６５の駆動を制御することにより、カール除去部５０を状態Ｔ１又は状態Ｔ２のいずれかに切り換える。
【００６２】
次に、画像形成装置１の制御ユニット１０で行われる処理動作の一例について、図７に示したフローチャートに基づいて説明する。なお、この処理動作は、操作者から操作部４７又は外部装置２０を介して画像形成装置１に両面印刷が要求された場合に行われる動作である。
【００６３】
まず、切換制御部１０５が、カール除去部５０を、図３（Ａ）に示した、ホームポジションである状態Ｔ１へ移行させるための初期処理を行う（Ｓ１）。初期処理においては、具体的には、切換制御部１０５が、ケーシング回転用制御回路１６０を制御することによって、カール除去部５０を状態Ｔ１へ移行させると共に、ローラー回転用制御回路１６５を制御することによって、硬質ローラー５１を矢印Ａ２の方向に回転可能に配置する。
【００６４】
そして、測定範囲決定部１０４が、操作者から「後処理」が要求されているか否かを判断する（Ｓ２）。すなわち、後処理受付部１０２は、操作者からの「後処理」の要求が受け付けられているか否かを判断する。
【００６５】
測定範囲決定部１０４が、操作者から「後処理」が要求されていると判断すれば（Ｓ２でＹＥＳ）、測定範囲決定部１０４は、後処理受付部１０２によって受け付けられている「後処理」の種類に応じて、測定範囲Ｅを決定する（Ｓ３）。例えば、「後処理」が「ステープル上２つ」である場合、図６に示したように、測定範囲Ｅは「先端から５０ｍｍ」に決定される。
【００６６】
一方、測定範囲決定部１０４が、操作者から「後処理」が要求されていないと判断すれば（Ｓ２でＮＯ）、測定範囲決定部１０４は、測定範囲Ｅを「全面」に決定する（Ｓ４）。
【００６７】
次に、切換制御部１０５が、測定範囲Ｅに基づいて、含水量測定センサー２１による用紙Ｐの含水量の測定範囲を、上記決定した測定範囲に設定する（Ｓ５）。含水量測定センサー２１は、搬送路１９０を通じて搬送される用紙Ｐの第１面目（一方の面）における上記測定範囲Ｅ部分が、当該含水量測定センサー２１の配設位置に差し掛かったときにのみ、用紙Ｐの含水量を測定し、測定範囲Ｅ以外の部分では用紙Ｐの含水量を測定しない。
【００６８】
その後、切換制御部１０５は、含水量測定センサー２１から送信されてくる、第１面目における上記測定範囲Ｅ部分の含水量を示す測定結果Ｍ１を取得する（Ｓ６）。
【００６９】
制御部１００は、画像形成部１２により当該用紙Ｐの第１面目に画像を形成させ、当該用紙Ｐを排出ローラー対１５９によりスイッチバックさせて反転搬送路１９５に送り、搬送ローラー対１９ｂにより、用紙Ｐを、レジストローラー１９８及び含水量測定センサー２１よりも搬送方向上流域へ再度搬送させる。
【００７０】
切換制御部１０５は、含水量測定センサー２１に、上記決定した測定範囲で、用紙Ｐの第２面目（他方の面）についての含水量を、第１面目の場合と同様にして測定させる（Ｓ７）。含水量測定センサー２１は、搬送路１９０を通じて搬送される用紙Ｐの第２面目における上記測定範囲Ｅ部分が、当該含水量測定センサー２１の配設位置に差し掛かったときにのみ、用紙Ｐの含水量を測定し、測定範囲Ｅ以外の部分では用紙Ｐの含水量を測定しない。
【００７１】
その後、切換制御部１０５は、含水量測定センサー２１から送信されてくる、第２面目における上記測定範囲Ｅ部分の含水量を示す測定結果Ｍ２を取得する（Ｓ７）。
【００７２】
ここで、切換制御部１０５は、測定結果Ｍ１，Ｍ２に基づいて、定着部１３による定着後における、用紙Ｐの第１面目及び第２面目における上記測定範囲Ｅ部分の含水量Ｍ１’，Ｍ２’を算出する（Ｓ８）。
【００７３】
例えば、画像形成装置１の製造者等は、予め実験等により、定着前の用紙Ｐの含水量を上記測定範囲毎に測定した測定結果Ａ１と、当該測定対象とした用紙Ｐ第１面目についての上記定着後の含水量を上記測定範囲毎に測定した測定結果Ａ１’とに基づいて、本画像形成装置１において、測定結果Ａ１から測定結果Ａ１’を算出で求められるようにするための係数Ｘ１を算出し、切換制御部１０５に当該係数Ｘ１を記憶させておく。製造者等は、同様にして、用紙Ｐ第２面目についての係数Ｘ２も切換制御部１０５に記憶させておく。
【００７４】
Ｓ８では、例えば、切換制御部１０５は、上記測定結果Ｍ１，Ｍ２と、当該係数Ｘ１，Ｘ２を用いて、計算式１：定着後の含水量Ｍ１’＝測定結果Ｍ１*係数Ｘ１、及び、計算式２：定着後の含水量Ｍ２’＝測定結果Ｍ２*係数Ｘ２により、含水量Ｍ１’，Ｍ２’を算出する。
【００７５】
なお、製造者等は、本画像形成装置１の定着温度、搬送速度、機内湿度、機内温度に基づいて上記係数Ｘ１，Ｘ２を決定して、当該決定した係数Ｘ１，Ｘ２を切換制御部１０５に記憶させるようにしてもよい。
【００７６】
また、製造者等は、上記定着後の含水量の測定結果又は／及び本画像形成装置１の定着温度、搬送速度、機内湿度、機内温度を用いて、測定結果Ａ１から測定結果Ａ１’を算出で求められるようにするためのパラメーターＸ１１（第１面目），Ｘ１２（第２面目）を用紙Ｐについて決定しておき、当該決定した係数Ｘ１１，Ｘ１２を切換制御部１０５に記憶させておき、切換制御部１０５が、測定結果Ｍ１にパラメーターＸ１１を加算又は減算することによって含水量Ｍ１’を算出し、測定結果Ｍ２にパラメーターＸ１２を加算又は減算することによって含水量Ｍ２’を算出するようにしてもよい。
【００７７】
但し、第２面目の定着後の含水量と比較すべき第１面目の定着後の含水量は、定着部１３による定着が２回行われた後のものとなるため、上記係数Ｘ１の算出については、定着部１３による定着が２回行われた後の含水量を上記測定範囲毎に測定した測定結果Ａ１’を用いることが好ましい。パラメーターＸ１１の決定についても同様である。
【００７８】
続いて、切換制御部１０５が、含水量Ｍ１’と含水量Ｍ２’とを比較し、含水量Ｍ１’が含水量Ｍ２’よりも大きいと判断すれば（Ｓ８でＹＥＳ）、図２の図中右側に用紙Ｐのカールが生じる（含水量の少ない面側にカールする。この時点では、用紙Ｐは反転により第１面目が図中左側の面となっている）ことが予測されるので、切換制御部１０５は、カール除去部５０の状態を、状態Ｔ１となるように切り換える（Ｓ９）。具体的には、切換制御部１０５が、ケーシング回転用制御回路１６０を制御することによって、カール除去部５０を図３（Ａ）に例を示す状態Ｔ１にすると共に、ローラー回転用制御回路１６５を制御することによって、硬質ローラー５１を図３（Ａ）の矢印Ａ２の方向に回転可能に位置させる。
【００７９】
一方、Ｓ８において、切換制御部１０５が、含水量Ｍ１’が含水量Ｍ２’以下であると判断すれば（Ｓ８でＮＯ）、図２の図中左側に用紙Ｐのカールが生じることが予測されるので、切換制御部１０５は、カール除去部５０の状態を、状態Ｔ２となるように切り換える（Ｓ１０）。
【００８０】
次に、切換制御部１０５は、全ての印刷処理が終了したか否かを判断し（Ｓ１１）、切換制御部１０５は、全ての印刷処理が終了したと判断すれば（Ｓ１１でＹＥＳ）、この処理動作を終了し、一方、切換制御部１０５が、印刷処理は終了していない（印刷すべき用紙Ｐが残っている）と判断すれば（Ｓ１１でＮＯ）、処理はＳ６へ戻る。
【００８１】
上記実施形態によれば、カール除去のために用紙Ｐをそのいずれの面側に湾曲させるかが、上記後処理が行われる用紙Ｐ部分についての含水量に基づいて決定される。すなわち、用紙Ｐの含水量を測定する測定範囲Ｅは、用紙Ｐ（記憶媒体）に対する後処理の種類及び位置に応じて決定される。例えば、後処理がステープル処理であり、ステープルされる位置が用紙Ｐの上２か所である場合、用紙Ｐの先端側が測定範囲Ｅに決定される。また、ステープルされる位置が用紙Ｐの左２か所である場合、用紙Ｐの全範囲が測定範囲Ｅに決定される。このため、後処理が施される記録媒体部分のカールを的確に除去でき、ステープル処理（綴じる処理）やパンチ処理（穿孔処理）などの後処理を適切に行うことができ、綺麗な仕上がりが得られる。
【００８２】
本発明は上記実施の形態の構成に限られず種々の変形が可能である。また、上記実施形態では、本発明に係る通信装置の一実施形態として画像形成装置の複合機を用いて説明しているが、これは一例に過ぎず、他の電子機器、例えば、コピー機能、ファクシミリ機能を有した他の画像形成装置でもよい。
【００８３】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００８４】
１        画像形成装置
１０      制御ユニット
１２      画像形成部
１３      定着部
２１ａ，２１ｂ  含水量測定センサー
５０      カール除去部
１０２    後処理受付部
１０４    測定範囲決定部
１０５    切換制御部
１９０    搬送路
【図１】
2017227773.tif 000003
【図２】
2017227773.tif 000004
【図３】
2017227773.tif 000005
【図４】
2017227773.tif 000006
【図５】
2017227773.tif 000007
【図６】
2017227773.tif 000008
【図７】
2017227773.tif 000009